(57)【要約】      （修正有）【課題】嗜好性の高いドッグフードであることを消費者に直観的に認識させて高い販売促進効果を得ることができる販売促進ツール及び陳列棚を提供する。【解決手段】ドッグフードの売り場に設置される販売促進ツール１を、犬Ｄの尻尾以外の本体部分を表示する本体表示部２と、犬Ｄの尻尾を表示し、本体表示部２から突出する尻尾表示部３と、尻尾表示部３を駆動して尻尾表示部３を本体表示部２に対して揺動させる駆動部と、を有する構成とする。また、ドッグフード用の陳列棚を、複数のドッグフードを陳列する棚板と、棚板の前面に装着された上記販売促進ツール１と、を有する構成とする。【選択図】図１
0003210664.tif 000002
【実用新案登録請求の範囲】
【請求項１】
ドッグフードの売り場に設置される販売促進ツールであって、
犬の尻尾以外の本体部分を表示する本体表示部と、
犬の尻尾を表示し、前記本体表示部から突出する尻尾表示部と、
前記尻尾表示部を駆動して該尻尾表示部を前記本体表示部に対して揺動させる駆動部と、を有することを特徴とする販売促進ツール。
【請求項２】
前記尻尾表示部が、前記本体表示部の表示面に平行な方向に揺動する、請求項１に記載の販売促進ツール。
【請求項３】
前記尻尾表示部が、前記本体表示部に表示されている前記犬の頭部から上方に突出している、請求項１または２に記載の販売促進ツール。
【請求項４】
天壁部及び底壁部を介して前記本体表示部に間隔を空けて連ねて設けられる装着壁部と、
前記装着壁部に設けられ、前記ドッグフードが陳列される陳列棚に係止可能な係止片と、を有し、
前記尻尾表示部が、前記本体表示部と前記装着壁部との間に配置されている、請求項１〜３の何れか１項に記載の販売促進ツール。
【請求項５】
前記本体表示部に表示されている前記犬の顔が、前記ドッグフードのパッケージに表示されている犬の顔と同一である、請求項１〜４の何れか１項に記載の販売促進ツール。
【請求項６】
前記本体表示部に表示されている前記犬が、目を開けて顔を正面に向けている、請求項１〜５の何れか１項に記載の販売促進ツール。
【請求項７】
前記本体表示部に表示されている前記犬が、舌を出している、請求項１〜６の何れか１項に記載の販売促進ツール。
【請求項８】
前記本体表示部に表示されている前記犬が、伏せの姿勢をしている、請求項１〜７の何れか１項に記載の販売促進ツール。
【請求項９】
ドッグフード用の陳列棚であって、
複数の前記ドッグフードを陳列する棚板と、
前記棚板の前面に装着された請求項１〜８の何れか１項に記載の販売促進ツールと、を有することを特徴とする陳列棚。
【請求項１０】
前記棚板に陳列された複数の前記ドッグフードのうち、販売促進の対象となる複数の前記ドッグフードを囲うように前記棚板の前面に装着される囲い部を有する、請求項９に記載の陳列棚。
【請求項１１】
前記販売促進ツールが、前記囲い部の内側に配置されている、請求項１０に記載の陳列棚。
【考案の詳細な説明】
【技術分野】
【０００１】
本考案は、商品の売り場に設置される販売促進ツール及び陳列棚に関し、特に、ドッグフードの売り場に用いられるものに関する。
【背景技術】
【０００２】
ドッグフードは、所定量がパッケージ（袋詰め）された形態とされ、量販店やペットショップ等の小売店の売り場において陳列棚に陳列されて販売されるのが一般的である。この場合、陳列棚には、複数種類のドッグフードが、銘柄ないし機能等に基づくカテゴリー毎に分けて陳列される。
【０００３】
陳列棚に陳列された複数種類のドッグフードのうち、特定の銘柄ないしカテゴリーのドッグフードの販売を促進するために、販売促進ツールが用いられる。販売促進ツールは、陳列棚の、販売促進の対象となるドッグフードが陳列されている箇所に設置され、消費者の注意を引くことで当該ドッグフードの販売を促進する効果を生じる。
【０００４】
このような販売促進ツールとしては、例えば特許文献１に記載されるように、揺動部を備えた可動式のものが知られている。ムービングポップとも呼ばれる可動式の販売促進ツールによれば、広告表示板（ポップ）等の他の形態の販売促進ツールが設置されることによって情報が溢れる状態となっている売り場においても、揺動部が揺動することによって消費者の注意をより効果的に引くことができ、これにより高い販売促進効果を得ることができる。
【先行技術文献】
【特許文献】
【０００５】
【特許文献１】特開２０１１−５３２８０号公報
【考案の概要】
【考案が解決しようとする課題】
【０００６】
近年、ドッグフードの市場規模は、犬の飼育頭数の減少、小型犬の比率の増加等を要因として縮小傾向にある。このような状況の中、美味しさや価格帯が標準的なスタンダードなカテゴリーのドッグフードに対し、より嗜好性を高めた高価格帯のグルメカテゴリーのものが成長市場として注目されている。
【０００７】
グルメカテゴリーのドッグフードのパッケージには、嗜好性が高いドッグフードであるとの当該商品の特徴が記載されるが、消費者は、陳列棚に陳列された複数種類のドッグフードの中から購入するドッグフードを選択する際に、当該記載に注意を払うことなく、すなわちグルメカテゴリーのドッグフードが存在することを認識することなく、惰性で今までと同じ他のカテゴリーのドッグフードを購入してしまう傾向がある。そのため、グルメカテゴリーのドッグフードの販売を促進するためには、消費者の注意をグルメカテゴリーのドッグフードに引き付けるだけでなく、当該ドッグフードが有する嗜好性が高いという特徴を消費者に認識させる必要がある。そして、そのための販売促進ツールとして、上記したような従来の可動式の販売促進ツールを用いることが考えられる。
【０００８】
しかしながら、従来の可動式の販売促進ツールは、揺動部の揺動によって消費者の注意を効果的に引き付けることはできるが、嗜好性の高いドッグフードであるという当該商品の特徴を消費者に認識させることはできず、十分な販売促進効果を得ることができないという問題点があった。
【０００９】
本考案は、従来技術が抱えるこのような問題を解決することを課題とするものであり、その目的とするところは、嗜好性の高いドッグフードであることを消費者に直観的に認識させて高い販売促進効果を得ることができる販売促進ツール及び陳列棚を提供することにある。
【課題を解決するための手段】
【００１０】
本考案の販売促進ツールは、ドッグフードの売り場に設置される販売促進ツールであって、犬の尻尾以外の本体部分を表示する本体表示部と、犬の尻尾を表示し、前記本体表示部から突出する尻尾表示部と、前記尻尾表示部を駆動して該尻尾表示部を前記本体表示部に対して揺動させる駆動部と、を有することを特徴とする。
【００１１】
本考案の販売促進ツールは、上記構成において、前記尻尾表示部が、前記本体表示部の表示面に平行な方向に揺動するのが好ましい。
【００１２】
本考案の販売促進ツールは、上記構成において、前記尻尾表示部が、前記本体表示部に表示されている前記犬の頭部から上方に突出しているのが好ましい。
【００１３】
本考案の販売促進ツールは、上記構成において、天壁部及び底壁部を介して前記本体表示部に間隔を空けて連ねて設けられる装着壁部と、前記装着壁部に設けられ、前記ドッグフードが陳列される陳列棚に係止可能な係止片と、を有し、前記尻尾表示部が、前記本体表示部と前記装着壁部との間に配置されているのが好ましい。
【００１４】
本考案の販売促進ツールは、上記構成において、前記本体表示部に表示されている前記犬の顔が、前記ドッグフードのパッケージに表示されている犬の顔と同一であるのが好ましい。
【００１５】
本考案の販売促進ツールは、上記構成において、前記本体表示部に表示されている前記犬が、目を開けて顔を正面に向けているのが好ましい。
【００１６】
本考案の販売促進ツールは、上記構成において、前記本体表示部に表示されている前記犬が、舌を出しているのが好ましい。
【００１７】
本考案の販売促進ツールは、上記構成において、前記本体表示部に表示されている前記犬が、伏せの姿勢をしているのが好ましい。
【００１８】
本考案の陳列棚は、ドッグフード用の陳列棚であって、複数の前記ドッグフードを陳列する棚板と、前記棚板の前面に装着された請求項１〜８の何れか１項に記載の販売促進ツールと、を有することを特徴とする。
【００１９】
本考案の陳列棚は、上記構成において、前記棚板に陳列された複数の前記ドッグフードのうち、販売促進の対象となる複数の前記ドッグフードを囲うように前記棚板の前面に装着される囲い部を有するのが好ましい。
【００２０】
本考案の陳列棚は、上記構成において、前記販売促進ツールが、前記囲い部の内側に配置されているのが好ましい。
【考案の効果】
【００２１】
本考案によれば、嗜好性の高いドッグフードであることを消費者に直観的に認識させて高い販売促進効果を得ることができる販売促進ツール及び陳列棚を提供することができる。
【図面の簡単な説明】
【００２２】
【図１】本考案の一実施の形態である販売促進ツールの斜視図である。
【図２】図１に示す販売促進ツールの正面図である。
【図３】（ａ）は図１に示す販売促進ツールの平面図であり、（ｂ）は底面図である。
【図４】図２におけるＡ−Ａ線に沿う断面図である。
【図５】本考案の一実施の形態である陳列棚の使用状態を示す説明図である。
【図６】図５の要部を拡大して示す説明図である。
【考案を実施するための形態】
【００２３】
以下、本考案の実施の形態を図面に基づいて詳細に例示説明する。
【００２４】
本考案の一実施の形態である販売促進ツール１は、例えば量販店やペットショップ等の小売店におけるドッグフードの売り場に陳列されている複数種類のドッグフードのうち、ある特定のドッグフードの販売を促進するために、当該売り場に設置して使用されるものである。本実施の形態では、販売促進ツール１は、販売促進の対象となるドッグフードが陳列されている陳列棚の棚板の前面に装着して使用される形態とされている。
【００２５】
図１〜図４に示すように、販売促進ツール１は、犬Ｄの尻尾以外の本体部分を表示する本体表示部２、当該犬Ｄの尻尾を表示する尻尾表示部３及び尻尾表示部３を駆動して当該尻尾表示部３を本体表示部２に対して揺動させる駆動部４を有している。
【００２６】
本体表示部２は平坦な板状に形成され、その表面に犬Ｄの尻尾以外の本体部分が表示されている。図示する場合では、本体表示部２には、犬Ｄの本体部分として頭と２本の前足とが表示されている。
【００２７】
尻尾表示部３は、本体表示部２に表示された犬Ｄの尻尾を表示しており、本体表示部２に表示された犬Ｄの頭部から上方に突出している。
【００２８】
駆動部４は、本体表示部２の背面に配置されており、尻尾表示部３は駆動部４に装着されている。尻尾表示部３は駆動部４によって駆動されることで、図２中に二点鎖線で示す一方のストローク端ＳＥ１と他方のストローク端ＳＥ２との間の所定の角度範囲で本体表示部２に対して揺動する。尻尾表示部３の揺動方向は、本体表示部２の犬Ｄの本体部分が表示される表示面に平行な方向である。
【００２９】
このように、販売促進ツール１は、陳列棚の棚板の前面に装着され、その状態で、尻尾表示部３が駆動部４により駆動されて本体表示部２に対して所定の角度範囲で揺動する構成となっている。したがって、複数種類のドッグフードが陳列されるとともに、他のポップ等の販売促進ツールが設置されることで情報が溢れているドッグフードの売り場においても、揺動する尻尾表示部３の動きによって消費者の注意を販売促進ツール１に効果的に引き付けて、販売促進ツール１が設置されている棚板に陳列されたドッグフードの購入を消費者に促すことができる。
【００３０】
このとき、尻尾表示部３の揺動方向を、本体表示部２の犬Ｄの本体部分が表示される表示面に平行な方向としたことにより、ドッグフードの売り場に近づいてくる途中において、消費者に対して尻尾表示部３の動きをより認識し易くして、より効果的に消費者の注意を販売促進ツール１に引き付けることができる。
【００３１】
また、販売促進ツール１は、犬Ｄの本体部分を表示する本体表示部２に対して当該犬Ｄの尻尾を表示する尻尾表示部３を揺動させる構成であるので、販売促進ツール１を視認した消費者に、嗜好性の高いドッグフードを目の前にして犬Ｄが尻尾を振って喜んでいる様子を想起させることができる。すなわち、販売促進ツール１は、陳列棚に陳列されたドッグフードの前で、犬Ｄが尻尾を振って喜んでいる様子を想起させることで、消費者に、当該ドッグフードが、犬Ｄが喜ぶような嗜好性の高いものであることを直観的に認識させることができる。
【００３２】
このように、販売促進ツール１は、売り場を訪れた消費者の注意を効果的に引き付けて販売促進対象となるドッグフードの購入を消費者に促すとともに、購入の検討段階に入った消費者に、嗜好性の高いドッグフードを前にしたときに犬が喜ぶという習性を可視化して、当該販売促進ツール１が装着されている棚板に陳列されているドッグフードが嗜好性の高いものであることを直観的に認識させて、当該ドッグフードに対する高い販売促進効果を得ることができる。
【００３３】
さらに、尻尾表示部３を、本体表示部２に表示された犬Ｄの頭部から上方に突出させるようにしたので、犬Ｄが喜んで尻尾を上に向けている様子を消費者に想起させることができる。これにより、消費者に、当該ドッグフードが、犬Ｄが喜ぶような嗜好性の高いものであることをさらに効果的に認識させることができる。
【００３４】
販売促進ツール１は、陳列棚に陳列されている複数種類のドッグフードのうち、美味しさや価格帯が標準的なスタンダードなカテゴリーのドッグフードに対し、より嗜好性を高めた高価格帯のグルメカテゴリーのドッグフードの販売を促進するために使用されるのが好ましい。
【００３５】
ドッグフードを満足に食べてくれないという問題を抱える消費者であっても、グルメカテゴリーのドッグフードに対する理解が不足している場合には、嗜好性の高いグルメカテゴリーのドッグフードではなく、スタンダードなドッグフードを使い続ける傾向が見受けられる。このような消費者に対しても、グルメカテゴリーのドッグフードに対して販売促進ツール１を用いることで、犬Ｄが尻尾を振って喜んでいる様子から当該ドッグフードが嗜好性の高いものであることを消費者に直観的に認識させつつ、当該ドッグフードのパッケージに記載された宣伝文句等によって当該ドッグフードが嗜好性の高いものであるとの特徴を消費者に認識させることで、陳列棚に陳列されているドッグフードが、嗜好性が高いという特徴を有するグルメカテゴリーのドッグフードであるということを消費者に効果的に認識させて、当該ドッグフードの購入を検討するように消費者を導くことができる。
【００３６】
以下に、本実施の形態の販売促進ツール１の構成について、より詳細に説明する。
【００３７】
図１〜図４に示すように、販売促進ツール１は、ボール紙により断面が長方形状となる角筒状に形成されたケース体１０を有している。なお、ケース体１０は、ボール紙によって形成されたものに限らず、例えば、合成樹脂、金属などの他の材質で形成されたものとすることもできる。
【００３８】
ケース体１０の表側の壁部分は上記した本体表示部２となっている。また、ケース体１０の本体表示部２と平行な裏側の壁部分は装着壁部１１となっており、ケース体１０の上側の壁部分は天壁部１２、下側の壁部分は底壁部１３となっている。装着壁部１１は、天壁部１２と底壁部１３とを介して本体表示部２に間隔を空けて連ねられており、ケース体１０の内部には駆動部４の収容空間が形成されている。
【００３９】
装着壁部１１の表面には、係止片として一対のクリップ１４が固定されている。クリップ１４は、それぞれ装着壁部１１の表面に固定される固定部１４ａと、固定部１４ａの上端からＵ字状に曲がって下方に延びる細長い板状の脚部１４ｂとを有している。脚部１４ｂは棚板の前面に設けられたレール部に係止させることができ、これにより、販売促進ツール１を当該レール部に着脱自在に装着することができるようになっている。
【００４０】
なお、係止片は、上記構成のクリップ１４に限らず、陳列棚に係止されて販売促進ツール１を陳列棚に装着することができる構成のものであれば、他の形状ないし構造のものを採用することもできる。
【００４１】
図３に示すように、天壁部１２には、本体表示部２の側から弓形に切り欠かれた切欠き孔１２ａが設けられている。また、天壁部１２の切欠き孔１２ａを切り欠く部分によって、本体表示部２には、天壁部１２に対して上方に突出する弓形の上側突出部２ａが一体に設けられている。同様に、底壁部１３の幅方向両側に偏った部分には、それぞれ本体表示部２の側から弓形に切り欠かれた切欠き孔１３ａが設けられており、底壁部１３の一対の切欠き孔１３ａを切り欠く部分によって、本体表示部２には、底壁部１３に対して下方に突出する一対の弓形の下側突出部２ｂが一体に設けられている。
【００４２】
本体表示部２に表示された犬Ｄの本体部分は、本体表示部２の中央部に頭部が大きく表示されるとともに、その頭頂部は、上側突出部２ａの円弧状の上端縁に沿うように表示されている。これにより、消費者に、本体表示部２に表示された犬Ｄの頭部の輪郭を、より明確に認識させることができる。
【００４３】
ここで、本体表示部２に表示される犬Ｄの顔（頭）の大きさは、２０ｍｍ〜２００ｍｍの範囲とするのが好ましい。本体表示部２に表示される犬Ｄの顔の大きさが２０ｍｍ未満であると、売り場にいる消費者が当該犬Ｄの顔を認識することができず、また、本体表示部２に表示される犬Ｄの顔の大きさが２００ｍｍより大きいと、大き過ぎて商品を取る際の邪魔になるからである。すなわち、本体表示部２に表示される犬Ｄの顔の大きさを上記範囲とすることにより、商品の取り出しを阻害することなく、売り場にいる消費者に犬Ｄの顔を確実に認識させることができる。
【００４４】
また、尻尾表示部３に表示される尻尾の長さは、２ｍｍ〜１００ｍｍの範囲とするのが好ましい。尻尾表示部３に表示される尻尾の長さが２ｍｍ未満であると、売り場にいる消費者が当該尻尾を認識することができず、また、尻尾表示部３に表示される尻尾の長さが１００ｍｍより大きいと、長過ぎて商品をとる際の邪魔になるからである。すなわち、尻尾表示部３に表示される尻尾の長さを上記範囲とすることにより、商品の取り出しを阻害することなく、売り場にいる消費者に犬Ｄの尻尾を確実に認識させることができる。
【００４５】
本体表示部２に表示される犬Ｄは、目を開けて顔を正面に向けている犬として表示されているのが好ましい。これにより、売り場において本体表示部２に表示される犬Ｄの顔を目立たせることができるので、消費者の目を犬Ｄの顔に止まり易くして、この販売促進ツール１に対する消費者の注目度をさらに効果的に高めることができる。
【００４６】
また、本体表示部２に表示される犬Ｄは、口から舌を出している犬として表示されているのが好ましい。これにより、当該犬Ｄを見た消費者に、犬が食事を楽しみにしている様子を想起させることができるので、消費者に、当該ドッグフードが嗜好性の高いものであることをより効果的に認識させることができる。
【００４７】
さらに、本体表示部２に表示される犬Ｄは、伏せの姿勢をしている犬として表示されているのが好ましい。これにより、当該犬Ｄを見た消費者に、犬が食事の前にお預けの状態とされている様子を想起させることができるので、消費者に、当該ドッグフードが嗜好性の高いものであることをより効果的に認識させることができる。
【００４８】
ここで、犬Ｄの一方の前足は一方の下側突出部２ｂに表示され、他方の前足は他方の下側突出部２ｂに表示されている。これにより、犬Ｄの前足の位置を見易くして、消費者に、犬Ｄが伏せの姿勢であることを、より明確に認識させることができる。
【００４９】
さらに、本体表示部２に表示される犬Ｄの顔は、販売促進の対象となるドッグフードのパッケージに表示されている犬の顔と同一のものとするのが好ましい。これにより、販売促進ツール１を視認した消費者が、販売促進ツール１から得た当該ドッグフードが嗜好性の高いものであるとの認識を、販売促進の対象となるドッグフードに関連付け易くすることができる。よって、消費者に当該ドッグフードが犬の喜ぶような嗜好性の高いものであることをさらに効果的に認識させて、当該ドッグフードを購入対象として選択され易くすることができる。
【００５０】
本体表示部２に表示される犬Ｄは、消費者に犬であることを認識させることができるものであれば、写真で表示してもよく、絵で表示してもよい。
【００５１】
図４に示すように、尻尾表示部３を駆動する駆動部４は、ケース体１０の内部に配置されている。駆動部４は、底壁部１３に両面テープ等で固定される支持ケース４ａを有し、支持ケース４ａには支軸４ｂが支持されている。支軸４ｂは、本体表示部２の犬Ｄが表示される表示面に垂直な方向を向けられており、その軸心は本体表示部２の略中央部分に位置している。
【００５２】
なお、支持ケース４ａは、底壁部１３の内面に限らず、本体表示部２、装着壁部１１及び天壁部１２の何れかの内面に固定するようにしてもよい。
【００５３】
支軸４ｂには、所定の長さの揺動プレート４ｃが、その中間部位において回動自在に支持されている、揺動プレート４ｃの表面側の上端部分には板状の尻尾表示部３が接着等の手段により固定されている。一方、支軸４ｂの裏面側の下端部分には永久磁石４ｄが接着等の手段により固定されている。
【００５４】
支持ケース４ａの内部には、揺動プレート４ｃが鉛直姿勢となったときに、永久磁石４ｄに対して所定の隙間を空けて対向するようにコイル４ｅが固定されている。コイル４ｅには駆動回路４ｆが接続されており、この駆動回路４ｆに電力を供給するための電源として太陽電池４ｇが当該駆動回路４ｆに接続されている。
【００５５】
なお、電源として、太陽電池４ｇに替えて、乾電池や充電池、商用電源等の他の電源を用いることもできる。
【００５６】
太陽電池４ｇからの電力が駆動回路４ｆに入力されると、駆動回路４ｆが作動して当該駆動回路４ｆからコイル４ｅに所定のタイミングで電流が供給される。コイル４ｅに所定のタイミングで電流が供給されると、コイル４ｅが生じる電磁力によって揺動プレート４ｃに装着された永久磁石４ｄが所定のタイミングで反発し、揺動プレート４ｃすなわち尻尾表示部３は支軸４ｂを中心として、一方のストローク端ＳＥ１と他方のストローク端ＳＥ２との間の所定の角度範囲で連続して揺動する。
【００５７】
このように、駆動部４を、支軸４ｂを中心として尻尾表示部３を揺動させる構成としたことにより、犬Ｄの尻尾を揺動させる構成を簡素化して、この販売促進ツール１のコストを低減することができる。
【００５８】
図２に示すように、揺動プレート４ｃに固定された尻尾表示部３は、本体表示部２に表示された犬Ｄの頭部から上方に突出している。したがって、尻尾表示部３は、揺動プレート４ｃとともに支軸４ｂを中心として当該犬Ｄの頭部の輪郭に沿って所定の範囲で揺動する。このように、尻尾表示部３を、上側突出部２ａによって明確にされた犬Ｄの頭部の輪郭に沿って左右に揺動させるようにしたのでで、ドッグフードの売り場に近づいてくる途中において、消費者に尻尾表示部３の動きをより確実に認識させることができる。
【００５９】
また、揺動プレート４ｃは支軸４ｂの長手方向の略中間部分に支持されており、揺動プレート４ｃに固定された尻尾表示部３は、本体表示部２と装着壁部１１との間に、本体表示部２から装着壁部１１の側に所定距離だけ離れて配置されている。したがって、販売促進ツール１を正面側から見たときに、尻尾表示部３は、本体表示部２に対して後方に離れて視認されることになる。これにより、犬Ｄを奥行きのある立体的なものとして表現して、消費者に対する販売促進ツール１の注目度をさらに高めることができる。
【００６０】
ここで、駆動部４により駆動されて揺動する尻尾表示部３の振り幅（一方のストローク端ＳＥ１から他方のストローク端ＳＥ２までの移動距離）は、２ｍｍ〜２００ｍｍの範囲とするのが好ましい。尻尾表示部３の振り幅が２ｍｍ未満であると、尻尾表示部３が揺動しているのを売り場にいる消費者が認識することができず、また、尻尾表示部３の振り幅が２００ｍｍより大きいと、大き過ぎて商品を取る際の邪魔になるからである。すなわち、尻尾表示部３の振り幅を上記範囲とすることにより、商品の取り出しを阻害することなく、売り場にいる消費者に尻尾表示部３が揺動していることを確実に認識させることができる。
【００６１】
また、尻尾表示部３の揺動の速さの最高値は、２０ｒｐｍ〜３００ｒｐｍの範囲とするのが好ましい。尻尾表示部３の揺動の速さの最高値が２０ｒｐｍ未満であると、尻尾表示部３が揺動しているのを売り場にいる消費者が認識することができず、また、尻尾表示部３の揺動の速さの最高値が３００ｒｐｍより大きいと尻尾表示部３の動きが速過ぎて、現実の犬の尻尾の動きを想起させることができなくなるからである。すなわち、尻尾表示部３の揺動の速さの最高値の上記範囲とすることにより、消費者に、犬Ｄが尻尾を振って喜んでいることを確実に認識させることができる。
【００６２】
図５は、本考案の一実施の形態である陳列棚の使用状態を示す説明図であり、図６は図５の要部を拡大して示す説明図である。
【００６３】
図５、図６に示す陳列棚２０は、ドッグフードの売り場に設置されるドッグフード用の陳列棚２０である。陳列棚２０は複数段の棚板２１を有し、これら複数段の棚板２１には、それぞれ複数のドッグフード３０、３１が陳列されている。なお、便宜上、図５、図６においては、一部のドッグフード３０、３１にのみ符号を付している。陳列棚２０には複数種類のドッグフード３０、３１が陳列されるが、これらのドッグフード３０、３１は、その銘柄ないし商品カテゴリー毎に分けて陳列されている。陳列棚２０の、破線で囲われる領域Ａには、嗜好性が高いという特徴を有するグルメカテゴリーのドッグフード３１が陳列されている。陳列棚２０の、領域Ａ以外の領域には、他のカテゴリーの複数種類のドッグフード３０が陳列されている。
【００６４】
図示する場合では、販売促進ツール１は、販売促進の対象となるグルメカテゴリーのドッグフード３１が陳列された領域Ａにおける棚板２１の前面に装着されている。詳細は図示しないが、販売促進ツール１は、棚板２１の前面に設けられたレール部にクリップ１４の脚部１４ｂを係止させることで棚板２１に装着されている。販売促進ツール１が装着されることで、陳列棚２０は本考案の一実施の形態である陳列棚に構成される。
【００６５】
グルメカテゴリーのドッグフード３１が陳列された領域Ａにおける棚板２１の前面に、尻尾を振っている犬Ｄを表現した販売促進ツール１を装着することにより、消費者の注意を販売促進ツール１に効果的に引き付けて、その視線を、販売促進ツール１が設置されている棚板２１に陳列されたドッグフード３１に誘導することができる。また、販売促進ツール１を視認した消費者に、犬Ｄが尻尾を振って喜んでいる様子を想起させることで、当該ドッグフード３１が、犬が喜ぶような嗜好性の高いものであることを直観的に認識させることができる。
【００６６】
また、販売促進ツール１の本体表示部２に表示されている犬Ｄの顔は、販売促進の対象となるドッグフード３１のパッケージに表示された犬Ｄの顔と同一のものとされている。これにより、販売促進ツール１を視認した消費者が、販売促進ツール１から得た嗜好性の高いドッグフードであるとの認識を、販売促進の対象となるドッグフード３１に容易に関連付けられるようにして、消費者に当該ドッグフード３１が犬の喜ぶような嗜好性の高いものであることをさらに効果的に認識させることができる。
【００６７】
このとき、販売促進ツール１の本体表示部２に表示されている犬Ｄの顔は、ドッグフード３１のパッケージに表示された犬Ｄの顔よりも大きく表示するのが好ましい。これにより、消費者の視線を、犬Ｄの顔が大きく表示された販売促進ツール１に引き付け、次いで、消費者が売り場に近づくにつれて当該視線をそれぞれのドッグフード３１のパッケージに記載された犬Ｄの顔に移動させるようにして、上記効果をより効果的に生じさせることができる。
【００６８】
また、棚板２１の前面に販売促進ツール１を装着することにより、消費者から見て、尻尾表示部３が揺動する犬Ｄが表示された販売促進ツール１の奥側に、販売促進ツール１と同一の犬Ｄがパッケージに表示されたドッグフード３１を配置することができる。これにより、販売促進ツール１により表現される犬Ｄが尻尾を振って喜ぶ様子と、当該販売促進ツール１と同じ犬Ｄが表示されたドッグフード３１とを、より強く関連付けて、消費者が当該ドッグフード３１を選び易くすることができる。
【００６９】
陳列棚２０は、棚板２１の前面に囲い部４０が装着され、陳列棚２０に陳列された複数のドッグフード３０、３１のうち、販売促進の対象となるグルメカテゴリーのドッグフード３１が囲い部４０により囲われる構成としてもよい。
【００７０】
囲い部４０は、グルメカテゴリーのドッグフード３１が陳列される領域Ａの上方端において、陳列棚２０の天板の前面に沿って配置される横向き帯状の上方表示帯４１と、当該領域Ａの下方端に棚板２１の前面に沿って配置される横向き帯状の下方表示帯４２と、それぞれ当該領域Ａの左右両側端に配置される一対の縦向き帯状の側方表示帯４３とを有し、これらの上方表示帯４１、下方表示帯４２及び側方表示帯４３を矩形に連結して構成されている。なお、囲い部４０は、上方表示帯４１、下方表示帯４２及び側方表示帯４３を一体に連結した環状の構成とすることもできる。
【００７１】
また、当該領域Ａの真ん中に配置される棚板２１の前面には、当該領域Ａを上下に２分する横向き帯状の中央表示帯４４が装着されている。
【００７２】
上方表示帯４１、下方表示帯４２、側方表示帯４３及び中央表示帯４４には、それぞれグルメカテゴリーのドッグフード３１の特徴等を宣伝するための宣伝文句や図柄等が表示されている。
【００７３】
販売促進ツール１は、中央表示帯４４が装着される棚板２１の前面に装着され、囲い部４０の内側に配置されている。なお、販売促進ツール１は、囲い部４０の中央に配置されるのが好ましいが、図示するように、囲い部４０の中央からやや側方側に偏った位置に配置するなど、囲い部４０の内側であれば、その装着位置は種々変更可能である。
【００７４】
このような構成により、ドッグフードの売り場から遠く離れた位置にいる消費者に対しても、陳列棚２０に、販売促進の対象となるドッグフード３１が陳列されている領域Ａがあることを認識させるとともに、売り場に近づく消費者の視線を、動きを有する販売促進ツール１に連続的に移動させることができる。これにより、囲い部４０により囲われた領域Ａに陳列されているドッグフード３１に、他の領域のドッグフードよりも多くの消費者の視線を集めて、当該ドッグフード３１の販売を促進することができる。
【００７５】
また、販売促進ツール１を、囲い部４０の内側に配置することにより、囲い部４０の中央側に消費者の視線をより多く集めて、消費者に、囲い部４０により囲われたより多くのドッグフード３１に視線を行き渡らせることができる。これにより、消費者に、ドッグフード３１を選択し易くして、当該ドッグフード３１の販売をさらに効果的に促進することができる。
【００７６】
本考案は前記実施の形態に限定されるものではなく、その要旨を逸脱しない範囲で種々変更可能であることはいうまでもない。
【００７７】
例えば前記実施の形態においては、駆動部４を、支軸４ｂを中心として尻尾表示部３を揺動させる構成としているが、これに限らず、尻尾表示部３を揺動させることができれば、例えば、一端が固定されたバネ材ないし板材等の部材を有し、当該部材の他端に尻尾表示部３が固定され、当該部材を撓み変形させることで尻尾表示部３を左右に揺動させる構成とするなど、その構成は種々変更可能である。
【００７８】
また、前記実施の形態においては、尻尾表示部３を本体表示部２に表示された犬Ｄの頭部から上方に突出させるようにしているが、これに限らず、例えば、尻尾表示部３を本体表示部２に表示された犬Ｄの頭部から側方に突出させて上下方向に揺動させる構成とするなど、本体表示部２に対して尻尾表示部３が突出する方向は種々変更可能である。
【符号の説明】
【００７９】
１    販売促進ツール
２    本体表示部
２ａ  上側突出部
２ｂ  下側突出部
３    尻尾表示部
４    駆動部
４ａ  支持ケース
４ｂ  支軸
４ｃ  揺動プレート
４ｄ  永久磁石
４ｅ  コイル
４ｆ  駆動回路
４ｇ  太陽電池
１０    ケース体
１１    装着壁部
１２    天壁部
１２ａ  切欠き孔
１３    底壁部
１３ａ  切欠き孔
１４    クリップ
１４ａ  固定部
１４ｂ  脚部
２０    陳列棚
２１    棚板
３０    ドッグフード
３１    ドッグフード
４０    囲い部
４１    上方表示帯
４２    下方表示帯
４３    側方表示帯
４４    中央表示帯
Ｄ    犬
ＳＥ１  ストローク端
ＳＥ２  ストローク端
Ａ    領域
【図１】
0003210664.tif 000003
【図２】
0003210664.tif 000004
【図３】
0003210664.tif 000005
【図４】
0003210664.tif 000006
【図５】
0003210664.tif 000007
【図６】
0003210664.tif 000008